(57)【要約】
【課題】  ハンディーで携帯性に優れ、電気泳動ゲルの任意位置からの自由な切り出しが可能であり、使い勝手がよく、コストも低廉な電気泳動ゲル切り出し器具を提供すること。
【解決手段】  電気泳動ゲルＡから標本を切り出す電気泳動ゲル切り出し器具１において、電気泳動ゲルＡに押し込んで空所５に電気泳動ゲルＡを切り出す切り出しノズル４と、この切り出しノズル４の前記空所５から電気泳動ゲルＡを押し出すプラグ６とを有していることを特徴とする。
【選択図】      図１
0003101144.tif 000002
【実用新案登録請求の範囲】
【請求項１】
電気泳動ゲルから標本を切り出す電気泳動ゲル切り出し器具において、電気泳動ゲルに押し込んで空所に電気泳動ゲルを切り出す切り出しノズルと、この切り出しノズルの前記空所から電気泳動ゲルを押し出すプラグとを有していることを特徴とする電気泳動ゲル切り出し器具。
【請求項２】
前記切り出しノズルはシリンダの先端部に固着され、前記プラグは前記シリンダ内に進退自在に挿通されているプランジャの先端部に固着されていることを特徴とする請求項１に記載の電気泳動ゲル切り出し器具。
【請求項３】
前記切り出しノズルはシリンダの先端部に着脱自在に固着され、前記プラグは前記プランジャの先端部に着脱自在に固着されていることを特徴とする請求項２に記載の電気泳動ゲル切り出し器具。
【請求項４】
前記切り出しノズルの空所と前記プラグとの組み合わせは少なくとも１組であることを特徴とする請求項１から請求項３のいずれか１項に記載の電気泳動ゲル切り出し器具。
【請求項５】
前記ゲル切り出し器具の先端部は視認性のよい透明に形成されていることを特徴とする請求項１から請求項４のいずれか１項に記載の電気泳動ゲル切り出し器具。
【考案の詳細な説明】
【技術分野】
【０００１】
本考案は、電気泳動ゲル切り出し器具に係り、特にハンディー型で、電気泳動ゲルを任意位置において自由に切り出すのに好適な電気泳動ゲル切り出し器具に関する。
【背景技術】
【０００２】
一般に、電気泳動ゲルはタンパク質や核酸（ＤＮＡ）等の分析を行うために広く利用されている。
【０００３】
電気泳動装置による電気泳動処理を受けて形成された電気泳動ゲルは、その後の分析や観察等の目的に対応して所定の大きさに切り出される。
【０００４】
従来より、この電気泳動ゲルの切り出しには各種の提案がなされている。
【０００５】
例えば、カッターナイフにより電気泳動ゲルを薄くスライスしていた。
【０００６】
しかしながら、その薄くスライスする従来方法においてはサイズが大きな電気泳動ゲルを切断することが難しい等の不都合があった。この不都合を解消するために、特許文献１においては、電気泳動ゲルをゲル載置台上の一対のガイド壁体の間に載置し、更に一対のストッパ体によって電気泳動ゲルを挟圧された状態で所定切断位置に固定し、切断具であるワイヤをガイド壁体に形成された挿通溝に沿って移動させて電気泳動ゲルを切断することを提案している。
【０００７】
【特許文献１】特開平５−２２３７８０号公報
【考案の開示】
【考案が解決しようとする課題】
【０００８】
しかしながら、前記実用新案登録文献１の装置においては、構成が複雑であり、携帯性に劣り、電気泳動ゲルの任意位置からの自由な切り出しが不可能であり、使い勝手が悪いという問題点があった。
【０００９】
本考案はこれらの点に鑑みてなされたものであり、ハンディーで携帯性に優れ、電気泳動ゲルの任意位置からの自由な切り出しが可能であり、使い勝手がよく、コストも低廉な電気泳動ゲル切り出し器具を提供することを目的とする。
【課題を解決するための手段】
【００１０】
前記目的を達成するために本考案の電気泳動ゲル切り出し器具は、電気泳動ゲルから標本を切り出す電気泳動ゲル切り出し器具において、電気泳動ゲルに押し込んで空所に電気泳動ゲルを切り出す切り出しノズルと、この切り出しノズルの前記空所から電気泳動ゲルを押し出すプラグとを有していることを特徴とする。このように構成されている本考案の電気泳動ゲル切り出し器具によれば、切り出しノズルを電気泳動ゲルの任意位置の切り出し位置に合わせて厚さ方向に押し込むことによりノズルの空所内に目的物の含まれた電気泳動ゲルが取り込まれ、切り出しノズルを電気泳動ゲルから取り出し、その後にプラグを押し込んで前記空所内の電気泳動ゲルを外部に押し出すことにより断面が切り出しノズルの形状の電気泳動ゲルの切り出しが行われる。
【００１１】
また、前記切り出しノズルをシリンダの先端部に固着し、前記プラグを前記シリンダ内に進退自在に挿通されているプランジャの先端部に固着するとよい。これにより、前記シリンダを手に把持してハンディーに取り扱うことができ、携帯性に優れ、しかもシリンダを握り、プランジャを押し込むことにより簡単に切り出しノズルから電気泳動ゲルを外部に押し出すことができる。
【００１２】
また、前記切り出しノズルをシリンダの先端部に着脱自在に固着し、前記プラグを前記プランジャの先端部に着脱に固着するとより。これにより切り出しノズルとプラグの組み合わせを簡単に変更することができ、また、各部の洗浄も容易となる。
【００１３】
また、前記切り出しノズルの空所と前記プラグとの組み合わせは少なくとも１組とするとよい。これにより、電気泳動ゲルの切り出しサイズや切り出し数等を分析目的に対応したものを予め用意して、迅速に目的の電気泳動ゲルの切り出しを行うことができる。
【００１４】
また、前記ゲル切り出し器具の先端部を視認性のよい透明に形成するとよい。これにより切り出す電気泳動ゲルを確実に目視して正確に所定位置の電気泳動ゲルの切り出しを行うことができる。
【考案の効果】
【００１５】
本考案の電気泳動ゲル切り出し器具はこのように構成され作用するものであるから、ハンディーで携帯性に優れ、電気泳動ゲルの任意位置からの自由な切り出しが可能であり、使い勝手がよく、コストも低廉となる等の極めて優れた効果を奏することができる。
【考案を実施するための最良の形態】
【００１６】
以下、本考案の実施の形態を図１および図２について説明する。
【００１７】
図１および図２は本考案の１実施形態を示す。
【００１８】
本実施形態の電気泳動ゲル切り出し器具１は、人が片手で握ることができる程度の長さのシンリンダ２と、このシリンダ２内に進退自在に挿通されているプランジャ３とを有している。一方のシリンダ２の先端（図１の左端）には、電気泳動ゲルＡ（図２参照）に先端部を押し込んで空所５に電気泳動ゲルＡを切り出す切り出しノズル４が着脱自在に装着されている。他方のプランジャ３の先端（図１の左端）には、切り出しノズル４の空所５から電気泳動ゲルＡを押し出すプラグ６が着脱自在に装着されている。
【００１９】
更に説明すると、切り出しノズル４は断面が長方形状の空所５を形成するように外面が先細の略四角錐筒状に形成されており、後端側にシリンダ２の最先端部に環状に形成されているノズル取り付け凹部８に弾力的（クリック的）にワンタッチで着脱される一対の取り付け部７、７が形成されている。一対の取り付け部７、７は長方形の空所５の各長辺側に連続するように形成されている。一対の取り付け部７、７の後端面にはそれぞれ突起７ａ、７ａが突設されていて、凹部８の奥面に開設されている小凹所８ａ、８ａに挿入されてノズル４の回転止めをしている。プラグ６は空所５の内側に丁度遊挿される長方形断面を有するＴ字形の押圧部９を有しており、押圧部９の後端側に連続形成されている円柱状の基端部１０に形成されている雌ねじ部１１をもってプランジャ３の先端部の雄ねじ部１２に着脱されるようになっている。押圧部９の先端面は前方に向けて蒲鉾状に凸状とされており、電気泳動ゲルＡが先端面に密着することを防止して、切り出された電気泳動ゲルＡが当該先端面よりすぐに離れるようにされている。プラグ６は、先端側の押圧部９を切り出しノズル４の空所５内に収容され、後端側の基端部１０をシリンダ２のノズル取り付け凹部８の奥側に形成されているプラグ収容部１３内に収容される。シリンダ２のプラグ収容部１３の奥側にはプランジャ３を挿通するプランジャ挿通孔１４と、プランジャ挿通孔１４より内径が大径のばね室１５が順に形成されている。プランジャ３は後端部にヘッド部１６が形成されており、外部に遊挿されているコイルばね１７をばね室１５に入るようにして装着される。シリンダ２、プランジャ３、切り出しノズル４およびプラグ６をアクリル樹脂等の透明素材によって形成して視認性を向上させてもよいし、さびのないステンレス等の金属によって形成してもよい。
【００２０】
次に、本実施形態の作用について説明する。
【００２１】
本実施形態の電気泳動ゲル切り出し器具１を組み立てる場合には、切り出しノズル４の空所５内にプラグ６の押圧部９を挿入した状態でプラグ６の基端部１０をシリンダ２のプラグ収容部１３に挿入し、続いて切り出しノズル４の一対の取り付け部７、７をシリンダ２のノズル取り付け凹部８内にクリック的に押し込む。次に、シリンダ２の後端側からコイルばね１７を遊挿したプランジャ３をばね室１５、プランジャ挿通孔１４の順に挿入して、プランジャ３の雄ねじ部１２をプラグ６の雌ねじ部１１に螺入させて組立を終了する。これにより、コイルばね１７の弾力により、プランジャ３が後端側に戻され、プラグ６の基端部１０がプラグ収容部１３の奥面に当接して、押圧部９をノズル４の空所５内に引き込めた状態で止められる。切り出しノズル４とプラグ６とを交換する場合には、組立手順と逆の分解と組立を繰り返すことにより簡単に行うことができる。
【００２２】
本実施形態の電気泳動ゲル切り出し器具１によって電気泳動ゲルＡを切り出すには、図２に示すように、ゲル載置台Ｂに載置された電気泳動ゲルＡに対して、シリンダ２を手で把持し、プラグ６を奥に戻した状態で、切り出しノズル４の先端部を電気泳動ゲルＡの任意位置の切り出し位置に合わせて厚さ方向（図２の下方）に押し込むことにより切り出しノズル４の空所５内に電気泳動ゲルＡを取り込む。この際に、電気泳動ゲル切り出し器具１を透明に形成すると、切り出し位置を確実に目視して正確に所定位置の電気泳動ゲルＡの切り出しを行うことができる。続いて、切り出しノズル４を電気泳動ゲルＡから持ち上げることにより電気泳動ゲルＡから取り出して、所定位置の電気泳動ゲルＡを標本として分離する。その後、例えば親指で、プランジャ３のヘッド１６をコイルばね１７の弾力に抗して押して、プラグ６を先端側に向けて押し込んで空所５内の電気泳動ゲルＡを切り出しノズル４の外部に押し出すことにより、断面が切り出しノズル４の空所５の長方形形状の電気泳動ゲルＡの切り出しが終了する。
【００２３】
なお、切り出しノズル４による切り出しは、電気泳動ゲルＡの切り出しサイズや切り出し数等を分析目的等に対応したものを予め用意して、迅速に目的の電気泳動ゲルＡの切り出しを行うようにするとよい。例えば、切り出しノズル４の断面形状は、３ｍｍ×１ｍｍ、３ｍｍ×２ｍｍ等の種々のものとすることができ、更に、前記実施形態においては１個の電気泳動ゲルＡを切り出すものであるが、２個以上の電気泳動ゲルを並列して同時に切り出すように形成してもよい。
【００２４】
なお、本考案は前記実施の形態に限定されるものではなく、必要に応じて変更することができる。
【図面の簡単な説明】
【００２５】
【図１】本考案の電気泳動ゲル切り出し器具の１実施形態を示す分解斜視図
【図２】本考案の電気泳動ゲル切り出し器具による電気泳動ゲルの切り出し状態を示す断面図
【符号の説明】
【００２６】
１  電気泳動ゲル切り出し器具
２  シリンダ
３  プランジャ
４  切り出しノズル
５  空所
６  プラグ
Ａ  電気泳動ゲル
【図１】
0003101144.tif 000003
【図２】
0003101144.tif 000004